(57)【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、
前記操作体の操作部が、窓孔から径方向外方に突出する第１突出部と、該第１突出部の外面から径方向外方に突出する第２突出部と、該第２突出部よりも後方に配置され且つ第１突出部の外面から径方向外方に突出する第３突出部とからなり、前記操作体の操作部以外の表面から操作部の径方向の外端部までの径方向の最大長さが、前記操作体の操作部以外の表面から操作体の裏面までの径方向の最大長さより大きく設定されることを特徴とする多芯筆記具。
【請求項２】
前記第２突出部の径方向の外端部及び前記第３突出部の径方向の外端部を凸曲面状に形成した請求項１記載の多芯筆記具。
【請求項３】
前記第２突出部が第１突出部よりも前方に突出し、前記第３突出部が第１突出部よりも後方に突出し、ペン先突出状態の筆記体の後端の操作体の第２突出部と第３突出部とが窓孔から径方向外方に突出してなる請求項１また２記載の多芯筆記具。
【請求項４】
前記軸筒の後端部に、軸方向後方に貫通し且つ径方向外方に開口する開口部が形成され、前記開口部が、軸筒の後端において窓孔と連通され、前記窓孔の後端が後方に切り欠かれ後方に開口され、前記軸筒の後端部に、前記開口部を開閉自在にする蓋部が回動自在に設けられ、前記開口部を開口した状態で、筆記体及び操作体を連結状態で軸筒内から取り外し可能且つ軸筒内に挿入可能に構成した請求項１、２または３記載の多芯筆記具。
【請求項５】
各々の操作体の操作部の形状が同一である請求項１乃至４のいずれかに記載の多芯筆記具。
【発明の詳細な説明】
【技術分野】
【０００１】
本発明は、多芯筆記具に関する。
【背景技術】
【０００２】
特許文献１には、軸筒内に、異なる筆記色を有する複数の芯軸を収容するとともに、各芯軸に設けた操作部を、軸筒から外部に露出させ、この操作部によって、いずれかの芯軸を選択して使用するようにした筆記具において、操作部に凸部または凹部を設け、各芯軸の操作部における前記凸部または凹部の形状を、互いに異なるものとし、各芯軸の操作部の感触を異なるものとした筆記具が記載されている。
【０００３】
前記特許文献１の多芯筆記具は、指を操作部に当てて操作部を前方にスライド操作することによってペン先没入状態からペン先突出状態にする際、指が操作部から滑り、確実にペン先突出状態にすることができないおそれがある。また、前記特許文献１の多芯筆記具は、指が操作部を滑らないように操作部を強く径方向内方に押圧しながら前方にスライド操作する場合、指に痛みを感じさせるおそれがある。また、前記特許文献１の多芯筆記具は、操作部の形状が互いに異なり、各々の操作部と指との接触が一定でないため、操作部を前方にスライド操作する際、操作部と指との接触が不安定になるものが生じる可能性がある。
【先行技術文献】
【特許文献】
【０００４】
【特許文献１】特開２００３−３３５０９３号公報
【発明の概要】
【発明が解決しようとする課題】
【０００５】
本発明は、前記従来の問題点を解決するものであって、指を操作部に当てて操作部を前方にスライド操作する際、指が操作部から滑ることなく、確実にペン先突出状態にすることができる多芯筆記具を提供しようとするものである。
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
本願の第１の発明は、軸筒２内に複数の筆記体６を前後方向に移動可能に収容し、前記各々の筆記体６の後端に操作体７を連結し、前記各々の筆記体６及び操作体７を弾発体８により後方に付勢し、前記軸筒２の側壁に前後方向に延びる複数の窓孔４１を径方向に貫設し、前記各々の窓孔４１から径方向外方に前記各々の操作体７の操作部７１を突出させ、一つの操作体７を窓孔４１に沿って前方にスライド操作することにより、その一つの操作体７を先にペン先突出状態にあった他の筆記体６の操作体７と当接させ、先にペン先突出状態にあった他の筆記体６の操作体７と軸筒２内壁との係止状態を解除し、先に突出状態にあった他の筆記体６のペン先６１を軸筒２内に没入させ、前記前方にスライド操作した操作体７に連結された筆記体６のペン先６１を軸筒２の前端孔３１から突出させてなる多芯筆記具であって、前記操作体７の操作部７１が、窓孔４１から径方向外方に突出する第１突出部７１ａと、該第１突出部７１ａの外面から径方向外方に突出する第２突出部７１ｂと、該第２突出部７１ｂよりも後方に配置され且つ第１突出部７１ａの外面から径方向外方に突出する第３突出部７１ｃとからなり、前記操作体７の操作部７１以外の表面から操作部７１の径方向の外端部までの径方向の最大長さＡが、前記操作体７の操作部７１以外の表面から操作体７の裏面までの径方向の最大長さＢより大きく設定されることを要件とする。
【０００７】
前記第１の発明の多芯筆記具１は、操作体７の操作部７１が、窓孔４１から径方向外方に突出する第１突出部７１ａと、該第１突出部７１ａの外面から径方向外方に突出する第２突出部７１ｂと、該第２突出部７１ｂよりも後方に配置され且つ第１突出部７１ａの外面から径方向外方に突出する第３突出部７１ｃとからなり、操作体７の操作部７１以外の表面から操作部７１の径方向の外端部までの径方向の最大長さＡが、操作体７の操作部７１以外の表面から操作体７の裏面までの径方向の最大長さＢより大きく設定されることにより、ペン先没入状態からペン先突出状態への移行が完了するまで、第２突出部７１ｂ及び第３突出部７１ｃを窓孔４１から径方向外方に十分に突出させることができ、指を操作部７１に当てて操作部７１を前方にスライド操作する際、操作部７１を強く径方向内方に押圧しなくても、指が操作部７１から滑ることなく、確実にペン先突出状態にすることができる。
【０００８】
本願の第２の発明は、前記第１の発明の多芯筆記具１において、前記第２突出部７１ｂの径方向の外端部及び前記第３突出部７１ｃの径方向の外端部を凸曲面状に形成したことを要件とする。
【０００９】
前記第２の発明の多芯筆記具１は、第２突出部７１ｂの径方向の外端部及び第３突出部７１ｃの径方向の外端部を凸曲面状に形成したことにより、操作部７１を強く径方向内方に押圧しながら前方にスライド操作しても、指に痛みを感じさせるおそれがない。
【００１０】
本願の第３の発明は、前記第１または第２の発明の多芯筆記具１において、前記第２突出部７１ｂが第１突出部７１ａよりも前方に突出し、前記第３突出部７１ｃが第１突出部７１ａよりも後方に突出し、ペン先突出状態の筆記体６の後端の操作体７の第２突出部７１ｂと第３突出部７１ｃとが窓孔４１から径方向外方に突出してなることを要件とする。
【００１１】
前記第３の発明の多芯筆記具１は、前記第２突出部７１ｂが第１突出部７１ａよりも前方に突出し、前記第３突出部７１ｃが第１突出部７１ａよりも後方に突出し、ペン先突出状態の筆記体６の後端の操作体７の第２突出部７１ｂと第３突出部７１ｃとが窓孔４１から径方向外方に突出してなることにより、窓孔４１の軸方向の長さを考慮すること無しに、第２突出部７１ｂと第３突出部７１ｃとを自由に大きく設定できる。
【００１２】
本願の第４の発明の多芯筆記具１は、前記第１、第２または第３の発明の多芯筆記具１において、筆記体６及び操作体７を連結状態で軸筒２内から取り外し可能且つ軸筒２内に挿入可能に構成したことを要件とする。
【００１３】
前記第４の発明の多芯筆記具１は、筆記体６及び操作体７を連結状態で軸筒２内から取り外し可能且つ軸筒２内に挿入可能に構成した場合、前記第１、第２、第３の発明の構成によって、操作部７１を指で摘みやすく、筆記体６及び操作体７の交換が容易となる。
【００１４】
本願の第５の発明の多芯筆記具１は、前記第１、第２、第３または第４の発明の多芯筆記具１において、各々の操作体７の操作部７１の形状が同一であることを要件とする。
【００１５】
前記第５の発明の多芯筆記具１は、各々の操作体７の操作部７１の形状が同一であることにより、各々の操作部７１と指との接触が一定となり、いずれの操作部７１をスライド操作しても、指が操作部７１から滑ることなく、確実にペン先突出状態にすることができる。
【発明の効果】
【００１６】
本発明の多芯筆記具によれば、指を操作部に当てて操作部を前方にスライド操作する際、指が操作部から滑ることなく、確実にペン先突出状態にすることができる。
【図面の簡単な説明】
【００１７】
【図１】本発明の実施の形態のペン先没入状態を示す縦断面図である。
【図２】図１のペン先突出状態を示す縦断面図である。
【図３】図１の互いに連結状態にある操作体及び筆記体を示す側面図である。
【図４】図１の開口部の開口状態を示す側面図である。
【発明を実施するための形態】
【００１８】
図１乃至図４に本発明の実施の形態を示す。
【００１９】
本実施の形態の多芯筆記具１は、軸筒２と、該軸筒２内に前後方向に移動可能に収容される複数本の筆記体６とからなる。前記各々の筆記体６の後端には、操作体７が固着される。前記各々の筆記体６及び操作体７は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００２０】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２１】
前記後軸４の後部の側壁には、複数本（具体的には２本）の前後方向に延びる細長状の窓孔４１が、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００２２】
また、前記後軸４の窓孔４１の相互間の側壁内面には、前後方向に延びるリブよりなる係止壁部４３が形成され、前記係止壁部４３に、ペン先６１が突出した際の筆記体６の操作体７の後端が係止される。
【００２３】
前記後軸４の窓孔４１の相互間の側壁外面の後端部にはクリップ４５が設けられる。前記クリップ４５の基部にヒンジ部４６が形成される。
【００２４】
（蓋部）
前記後軸４の後端部には、前記開口部４２を開閉自在にする蓋部５が回動自在に設けられる。前記蓋部５は、開口部４２を塞ぐ蓋本体５１と、該蓋本体５１に連設される２本の脚片５２とからなる。前記蓋部５の脚片５２は、ヒンジ部４６により後軸４に回動自在に接続される。前記ヒンジ部４６の回動軸は、ペン先下向きでヒンジ部４６を正面視したときのヒンジ部４６の左右方向に延設され、それにより、前記蓋部５は、略前後方向に回動自在となる。
【００２５】
前記蓋部５（蓋本体５１）の前面には、当接壁部５３が形成される。前記当接壁部５３に、ペン先没入状態の筆記体６の後端に連結された各々の操作体７の後端が衝止される。
【００２６】
（係合部、被係合部）
前記蓋部５（蓋本体５１）の前面には、係合部５４が設けられる（具体的には係合凹部または係合孔部が形成される）。後軸４の後端には、前記係合部５４と係合可能な被係合部４４が設けられる（具体的には係合凸部が突設される）。前記係合部５４（係合凹部または係合孔部）の内面には、内向突起が形成され、一方、前記被係合部４４（係合凸部）の外面には、前記内向突起と乗り越え係止可能な外向突起が形成される。
【００２７】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。即ち、前記蓋部５による開口部４２の閉鎖状態において、係合部５４と被係合部４４との係合により、蓋部５の後方移動が阻止される。
【００２８】
（筆記体）
前記各々の筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００２９】
本実施の形態では、ボールペンレフィルが採用される（図３参照）。前記ボールペンレフィルは、ボールペンチップ（ペン先６１）と、該ボールペンチップを前端に備え且つ内部にインキが収容されたインキ収容管６２と、該インキ収容管６２の後端（即ちインキ収容管６２の後端開口部）に固着された操作体７とからなる。
【００３０】
（操作体）
図３に示すように、ボールペンレフィルの各々の操作体７は、後端部に形成され且つ軸筒２の窓孔４１から軸筒２外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３１】
前記操作部７１は、窓孔４１を介して軸筒２の側壁外面から径方向外方に突出する第１突出部７１ａと、該第１突出部７１ａの外面から径方向外方に突出する第２突出部７１ｂと、該第１突出部７１ａの外面から径方向外方に突出する第３突出部７１ｃとからなる。前記第３突出部７１ｃが前記第２突出部７１ｂよりも後方に配置される。第２突出部７１ｂの径方向の外端部及び第３突出部７１ｃの径方向の外端部が凸曲面状に形成される。前記第１突出部７１ａ、前記第２突出部７１ｂ及び前記第３突出部７１ｃは板状であり、前記第２突出部７１ｂと前記第３突出部７１ｃとは同一形状（前後対称形状）を有する。尚、前記第１突出部７１ａを半円板状とし、前記第２突出部７１ｂと第３突出部７１ｃとを、略同一の円板状としてもよい。
【００３２】
本実施の形態では、前記操作体７の操作部７１以外の表面から操作部７１までの径方向の最大長さＡは、操作体７の操作部７１以外の表面から第２突出部７１ｂまたは第３突出部７１ｃの径方向の外端部までの径方向の最大長さとなる。本実施の形態では、前記操作体７の操作部７１以外の表面から操作体７の裏面までの径方向の最大長さＢは、操作体７の操作部７１以外の表面から前側突出部７２または後側突出部７３の裏面までの径方向の最大長さとなる。
【００３３】
前記第２突出部７１ｂが第１突出部７１ａよりも前方に突出し、前記第３突出部７１ｃが第１突出部７１ａよりも後方に突出し、ペン先突出状態の筆記体６の後端の操作体７の第２突出部７１ｂと第３突出部７１ｃとが窓孔４１から径方向外方に突出している。
【００３４】
図３に示すレフィルを軸筒２内に収容した多芯筆記具１において、筆記体６のペン先６１が没入状態のとき、その筆記体６に取り付けられた操作体７の後端部は、蓋部５の前面に形成された当接壁部５３に衝止される。一方、筆記体６のペン先６１が突出状態のとき、その筆記体６に取り付けられた操作体７の後端部は、軸筒２の内壁に形成された係止壁部４３に係止される。また、図３に示すレフィルを軸筒２内に収容した多芯筆記具１において、ペン先没入状態にある筆記体６の後端に連結された操作体７の前側突出部７２は、その操作体７の操作部７１を前方に移動させた際、先にペン先突出状態にある他の筆記体６の後端に連結された操作体７の後側突出部７３と当接され、他の筆記体６の後端に連結された操作体７と係止壁部４３との係止状態が解除され、他の筆記体６のペン先突出状態が解除される。
【００３５】
本実施の形態において、ペン先突出状態の筆記体６の後端の操作体７の第１突出部７１ａ、第２突出部７１ｂ、及び第３突出部７１ｃが、窓孔４１を介して軸筒２外面から径方向外方に突出され、且つ、ペン先没入状態の筆記体６の後端の操作体７の第１突出部７１ａ、第２突出部７１ｂ、及び第３突出部７１ｃが、窓孔４１を介して軸筒２外面から径方向外方に突出される。それにより、操作部７１が十分に軸筒２外部に突出され、指を操作部７１に当てて操作部７１を前方にスライド操作する際、指が操作部７１から滑ることなく、確実にペン先突出状態にすることができる。
【００３６】
（弾発体支持部）
軸筒２の内壁（即ち後軸４の内壁）には、円筒状の弾発体支持部９が固着される。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。前記弾発体８により、筆記体６及び操作体７が後方に付勢される。
【００３７】
（ペン先の出没）
本実施の形態におけるペン先６１の出没作動について説明する。
一つの操作体７の操作部７１を弾発体８の後方付勢に抗して窓孔４１に沿って前方に移動させると、その前方に移動させた操作体７の前側突出部７２が、先に突出状態にある他の筆記体６の操作体７の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５３に当接衝止される。前記他の筆記体６のペン先６１の没入と同時に、前記前方に移動させた操作体７に連結された筆記体６のペン先６１が、軸筒２の前端孔３１より外部に突出されるとともに、前方に移動させた操作体７の後端が軸筒２内壁の係止壁部４３に係止され、そのペン先突出状態が維持される。
【００３８】
（筆記体及び操作体７の交換）
本実施の形態における筆記体６及び操作体７の交換について説明する（図４参照）。
筆記体６を交換する際、蓋部５が軸筒２の後端の開口部４２を閉鎖した状態から、蓋部５のヒンジ部４６と反対側の操作端部を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５３に各々の操作体７を当接させ、各々の操作体７を前方に押圧しながら蓋部５を前方に回動させ、その後、係合部５４と被係合部４４とを係合させ、開口部４２を閉鎖する。これにより、筆記体６及び操作体７の交換作業が終了する。尚、本実施の形態では、筆記体及び操作体７の交換は、開口部４２を介して行われるが、これ以外にも、窓孔４１を介して行われてもよい。
【００３９】
（本実施の形態の作用）
本実施の形態の多芯筆記具１は、操作体７の操作部７１が、窓孔４１から径方向外方に突出する第１突出部７１ａと、該第１突出部７１ａの外面から径方向外方に突出する第２突出部７１ｂと、該第２突出部７１ｂよりも後方に配置され且つ第１突出部７１ａの外面から径方向外方に突出する第３突出部７１ｃとからなり、操作体７の操作部７１以外の表面から操作部７１の径方向の外端部までの径方向の最大長さＡが、操作体７の操作部７１以外の表面から操作体７の裏面までの径方向の最大長さＢよりも大きく設定されることにより、ペン先没入状態からペン先突出状態への移行が完了するまで、第２突出部７１ｂ及び第３突出部７１ｃを窓孔４１から径方向外方に十分に突出させることができ、指を操作部７１に当てて操作部７１を前方にスライド操作する際、操作部７１を強く径方向内方に押圧しなくても、指が操作部７１から滑ることなく、確実にペン先突出状態にすることができる。
【００４０】
本実施の形態の多芯筆記具１は、第２突出部７１ｂの径方向の外端部及び第３突出部７１ｃの径方向の外端部を凸曲面状に形成したことにより、操作部７１を強く径方向内方に押圧しながら前方にスライド操作しても、指に痛みを感じさせるおそれがない。
【００４１】
本実施の形態の多芯筆記具１は、第２突出部７１ｂが第１突出部７１ａよりも前方に突出し、第３突出部７１ｃが第１突出部７１ａよりも後方に突出し、ペン先突出状態の筆記体６の後端の操作体７の第２突出部７１ｂと第３突出部７１ｃとが窓孔４１から径方向外方に突出してなることにより、窓孔４１の軸方向の長さを考慮すること無しに、第２突出部７１ｂと第３突出部７１ｃとを自由に大きく設定できる。
【００４２】
本実施の形態の多芯筆記具１は、筆記体６及び操作体７を連結状態で軸筒２内から取り外し可能且つ軸筒２内に挿入可能に構成した場合、第２突出部７１ｂ及び第３突出部７１ｃを窓孔４１から径方向外方に十分に突出しているため、操作部７１を指で摘みやすく、筆記体６及び操作体７の交換が容易となる。
【００４３】
本実施の形態の多芯筆記具１は、各々の操作体７の操作部７１の形状が同一であることにより、各々の操作部７１と指との接触が一定となり、いずれの操作部７１をスライド操作しても、指が操作部７１から滑ることなく、確実にペン先突出状態にすることができる。
【符号の説明】
【００４４】
１  多芯筆記具
２  軸筒
３  前軸
３１  前端孔
４  後軸
４１  窓孔
４２  開口部
４３  係止壁部
４４  被係合部
４５  クリップ
４６  ヒンジ部
５  蓋部
５１  蓋本体
５２  脚片
５３  当接壁部
５４  係合部
６  筆記体
６１  ペン先
６２  インキ収容管
７  操作体
７１  操作部
７１ａ  第１突出部
７１ｂ  第２突出部
７１ｃ  第３突出部
７２  前側突出部
７３  後側突出部
７４  嵌入部
７５  鍔部
８  弾発体
９  弾発体支持部
９１  内孔
Ａ  操作体の操作部以外の表面から操作部の径方向の外端部までの径方向の最大長さ
Ｂ  操作体の操作部以外の表面から操作体の裏面までの径方向の最大長さ
【図１】
0005431052.tif 000002
【図２】
0005431052.tif 000003
【図３】
0005431052.tif 000004
【図４】
0005431052.tif 000005